(57)【要約】  筐体と、当該筐体に固定された基板と、当該基板に設けられた電極と、当該筐体に固定された電子部品と、当該電子部品に接続された端子と、第１の領域が当該電極に連結され且つ第２の領域が当該端子に連結されている導電性の中継子と、を有し、当該中継子は、弾性を有するか、当該電極もしくは当該端子が挿入されている貫通孔が設けられているか、または当該電極もしくは当該端子内に挿入されている突起が設けられている。
2019175948.tif 000002
【特許請求の範囲】
【請求項１】
筐体と、
前記筐体に固定された基板と、
前記基板に設けられた電極と、
前記筐体に固定された電子部品と、
前記電子部品に接続された端子と、
第１の領域が前記電極に連結され且つ第２の領域が前記端子に連結されている導電性の中継子と、
を備え、
前記中継子は、弾性を有するか、前記電極もしくは前記端子が挿入されている貫通孔が設けられているか、または前記電極もしくは前記端子内に挿入されている突起が設けられている電源装置。
【請求項２】
前記中継子は、縦断面視において、前記電極と前記端子との間でＵ字状に湾曲し、且つ前記第１の領域である一端部が前記電極の端部を挟むようにＵ字状に湾曲し、且つ前記第２の領域である他端部が前記端子の端部を挟むようにＵ字状に湾曲している
請求項１に記載の電源装置。
【請求項３】
前記基板に設けられた前記電極は、端部の側方に設けられた肩部と、前記端部の中央に設けられた中央部と、を有し、
前記中継子の前記第１の領域である一端部は、複数に分岐しており、当該複数の分岐のうち第１の分岐部の外面が前記電極の端部の前記中央部と溶接により固定されており、当該複数の分岐のうち第２の分岐部がそれぞれ対応する前記電極の肩部を挟むようにＵ字状に湾曲している
請求項１または２に記載の電源装置。
【請求項４】
前記電子部品に設けられた前記端子は、端部の側方に設けられた肩部と、前記端部の中央に設けられた中央部と、を有し、前記中継子の前記第２の領域である他端部は、複数に分岐しており、当該複数の分岐のうち第１の分岐部の外面が前記端子の端部の前記中央部と溶接により固定されており、当該複数の分岐のうち第２の分岐部がそれぞれ対応する前記端子の肩部を挟むようにＵ字状に湾曲している
請求項１から３のいずれか一項に記載の電源装置。
【請求項５】
前記中継子は、横断面視において、前記電極と前記端子との間でＵ字状に湾曲し、且つ前記第１の領域である一端部が前記電極を挟むようにＵ字状に湾曲し、且つ前記第２の領域である他端部が前記端子を挟むようにＵ字状に湾曲している
請求項１に記載の電源装置。
【請求項６】
前記中継子は平板であり、第１の貫通孔と、第２の貫通孔が形成されており、
前記中継子の中央から前記第１の貫通孔の内部にかけて湾曲した複数の第１の鉤爪が互いに空間を設けて形成されており、
前記中継子の中央から前記第２の貫通孔の内部にかけて湾曲した複数の第２の鉤爪が互いに空間を設けて形成されており、
前記基板に設けられた電極が前記第１の貫通孔に挿入され且つ前記複数の第１の鉤爪の端部に接触した状態で固定されており、
前記電子部品に設けられた端子が前記第２の貫通孔に挿入され且つ前記複数の第２の鉤爪の端部に接触した状態で固定されている
請求項１に記載の電源装置。
【請求項７】
前記基板に設けられた電極は、前記電子部品に設けられた端子に向かって傾斜しており、前記電子部品に設けられた端子は、前記基板に設けられた電極に向かって傾斜しており、前記中継子は平板であり、第１の貫通孔と第２の貫通孔が形成されており、前記基板に設けられた電極が前記第１の貫通孔に挿入されて当該第１の貫通孔の外縁と接触した状態で固定されており、前記電子部品に設けられた端子が前記第２の貫通孔に挿入されて当該第２の貫通孔の外縁と接触した状態で固定されている
請求項１に記載の電源装置。
【請求項８】
前記基板に設けられた電極の端部は前記基板に対して略水平であり、当該端部には前記中継子と対向する面に第１の溝が設けられており、
前記電子部品に設けられた端子の端部は前記基板に対して略水平であり、当該端部には前記中継子と対向する面に第２の溝が設けられており、
前記中継子は平板であり、第１の突起と第２の突起とが設けられており、前記第１の突起が前記第１の溝に挿入された状態で固定され、前記第２の突起が前記第２の溝に挿入された状態で固定されている
請求項１に記載の電源装置。
【請求項９】
前記電極は、第１脚部と第２脚部の二つに分かれており、
前記第１脚部は、前記端子から離れる方向に延びて基板に固定されており、
前記第２脚部は、前記端子の方に湾曲して前記基板に固定されている
請求項１から８のいずれか一項に記載の電源装置。
【請求項１０】
前記中継子の剛性は、前記電極の剛性より低い
請求項１から９のいずれか一項に記載の電源装置。
【発明の詳細な説明】
【技術分野】
【０００１】
本発明は、電源装置に関する。
【背景技術】
【０００２】
従来、電源装置の一例であるＤＣ−ＤＣコンバータは、電力源（例えばバッテリや燃料電池等）から供給される直流電圧を目的の電圧に変換して出力するものとして知られている。ＤＣ−ＤＣコンバータは、変圧器と、基板と、フィルタ部を備え、基板は、半導体素子、ドライブ回路、制御回路などを有する。例えば、半導体素子は、ドライブ回路から伝達される駆動信号に従って個別にスイッチングが制御され、制御回路は、変圧器の出力電圧が目標電圧となるように、ドライブ回路を駆動する指令信号を出力する。変圧器に流れる電流の方向をスイッチングするために、変圧器と基板とは電気的に接続されている。例えば特許文献１（特開２０１３−０９０５３３号公報）では、基板と変圧器は、接続線を介して接続されている。また特許文献２（特開２０１３−０３４２７４号公報）では、変圧器の１次側端子とインサートバスバーの接続端子台とが接続され、当該接続端子台に電気的に接続されたインサートバスバーの接続端子が、各端子に対応するプリント基板の接続部と接続されることにより、変圧器の１次側端子とプリント基板の接続部が電気的に接続されている。
【発明の概要】
【発明が解決しようとする課題】
【０００３】
一方、電子部品（例えば変圧器）の端子と基板に設けられた電極が直接、溶接（例えば、レーザ溶接）によって固定される場合には、この電子部品の端子と基板に設けられた電極の水平位置または垂直位置がずれてしまうと溶接ができず連結できないという問題がある。【０００４】
そこで本発明は、上記問題に鑑みてなされたものであり、電子部品の端子と基板に設けられた電極の水平位置または垂直位置にずれがあっても当該電子部品の端子と基板との連結を容易化する電源装置を提供することを目的とする。
【課題を解決するための手段】
【０００５】
［概念１］
本発明の概念１による電源装置は、
筐体と、
前記筐体に固定された基板と、
前記基板に設けられた電極と、
前記筐体に固定された電子部品と、
前記電子部品に接続された端子と、
第１の領域が前記電極に連結され且つ第２の領域が前記端子に連結されている導電性の中継子と、
を備え、
前記中継子は、弾性を有するか、前記電極もしくは前記端子が挿入されている貫通孔が設けられているか、または前記電極もしくは前記端子内に挿入されている突起が設けられている。【０００６】
［概念２］
本発明の概念１による電源装置において、
前記中継子は、縦断面視において、前記電極と前記端子との間でＵ字状に湾曲し、且つ前記第１の領域である一端部が前記電極の端部を挟むようにＵ字状に湾曲し、且つ前記第２の領域である他端部が前記端子の端部を挟むようにＵ字状に湾曲している。【０００７】
［概念３］
本発明の概念１又は２による電源装置において、
前記基板に設けられた前記電極は、端部の側方に設けられた肩部と、前記端部の中央に設けられた中央部と、を有し、
前記中継子の前記第１の領域である一端部は、複数に分岐しており、当該複数の分岐のうち第１の分岐部の外面が前記電極の端部の前記中央部と溶接により固定されており、当該複数の分岐のうち第２の分岐部がそれぞれ対応する前記電極の肩部を挟むようにＵ字状に湾曲している。【０００８】
［概念４］
本発明の概念１乃至３のいずれか１つによる電源装置において、
前記電子部品に設けられた前記端子は、端部の側方に設けられた肩部と、前記端部の中央に設けられた中央部と、を有し、前記中継子の前記第２の領域である他端部は、複数に分岐しており、当該複数の分岐のうち第１の分岐部の外面が前記端子の端部の前記中央部と溶接により固定されており、当該複数の分岐のうち第２の分岐部がそれぞれ対応する前記端子の肩部を挟むようにＵ字状に湾曲している。【０００９】
［概念５］
本発明の概念１による電源装置において、
前記中継子は、横断面視において、前記電極と前記端子との間でＵ字状に湾曲し、且つ前記第１の領域である一端部が前記電極を挟むようにＵ字状に湾曲し、且つ前記第２の領域である他端部が前記端子を挟むようにＵ字状に湾曲している。【００１０】
［概念６］
本発明の概念１による電源装置において、
前記中継子は平板であり、第１の貫通孔と、第２の貫通孔が形成されており、
前記中継子の中央から前記第１の貫通孔の内部にかけて湾曲した複数の第１の鉤爪が互いに空間を設けて形成されており、
前記中継子の中央から前記第２の貫通孔の内部にかけて湾曲した複数の第２の鉤爪が互いに空間を設けて形成されており、
前記基板に設けられた電極が前記第１の貫通孔に挿入され且つ前記複数の第１の鉤爪の端部に接触した状態で固定されており、
前記電子部品に設けられた端子が前記第２の貫通孔に挿入され且つ前記複数の第２の鉤爪の端部に接触した状態で固定されている。【００１１】
［概念７］
本発明の概念１による電源装置において、
前記基板に設けられた電極は、前記電子部品に設けられた端子に向かって傾斜しており、前記電子部品に設けられた端子は、前記基板に設けられた電極に向かって傾斜しており、前記中継子は平板であり、第１の貫通孔と第２の貫通孔が形成されており、前記基板に設けられた電極が前記第１の貫通孔に挿入されて当該第１の貫通孔の外縁と接触した状態で固定されており、前記電子部品に設けられた端子が前記第２の貫通孔に挿入されて当該第２の貫通孔の外縁と接触した状態で固定されている。【００１２】
［概念８］
本発明の概念１による電源装置において、
前記基板に設けられた電極の端部は前記基板に対して略水平であり、当該端部には前記中継子と対向する面に第１の溝が設けられており、
前記電子部品に設けられた端子の端部は前記基板に対して略水平であり、当該端部には前記中継子と対向する面に第２の溝が設けられており、
前記中継子は平板であり、第１の突起と第２の突起とが設けられており、前記第１の突起が前記第１の溝に挿入された状態で固定され、前記第２の突起が前記第２の溝に挿入された状態で固定されている。【００１３】
［概念９］
本発明の概念１乃至８のいずれか１つによる電源装置において、
前記電極は、第１脚部と第２脚部の二つに分かれており、
前記第１脚部は、前記端子から離れる方向に延びて基板に固定されており、
前記第２脚部は、前記端子の方に湾曲して前記基板に固定されている。【００１４】
［概念１０］
本発明の概念１乃至９のいずれか１つによる電源装置において、
前記中継子の剛性は、前記電極の剛性より低い。
【発明の効果】
【００１５】
したがって、本発明に係る電源装置は、中継子が弾性を有することにより、中継子を電極及び端子に連結する前の製造工程において、端子と電極の位置が本来あるべき位置から水平または垂直にずれたとしても、端子と電極に挟まった中継子が、弾性力によって戻る力で端子と電極の両方を押しつけることで、端子または電極の高さ方向及び水平方向のずれを吸収できるので、中継子が端子と電極に連結することができる。
あるいは、電極もしくは端子が挿入されている貫通孔が設けられていることにより、中継子を電極及び端子に連結する前の製造工程において、端子と電極の位置が本来あるべき位置から垂直にずれたとしても、端子と電極が貫通孔に挿入されることにより、端子または電極の水平方向のずれを吸収できるので、中継子が端子と電極に連結することができる。
あるいは、電極もしくは端子内に挿入される突起が設けられていることにより、中継子を電極及び端子に連結する前の製造工程において、端子と電極の位置が本来あるべき位置から垂直にずれたとしても、突起が端子と電極に挿入されることにより、中継子が端子と電極に連結することができる。このようにして、電子部品の端子と基板に設けられた電極の水平位置または垂直位置にずれがあっても中継子がそのずれを吸収することができるので、電子部品の端子と基板との電気的な接続を容易化することができる。
【図面の簡単な説明】
【００１６】
【図１】図１は、本発明の一態様である第１の実施形態に係る電源装置の構成の一部を示す斜視図である。
【図２】図２は、図１の電極Ｅ１、端子Ｔ１、中継子Ｒ１を抜き出した場合の斜視図である。
【図３】図３は、図２のＡ−Ａ’断面図である。
【図４】図４は、図１の電極Ｅ１、端子Ｔ１、中継子Ｒ１を抜き出して上から見た場合の図である。
【図５】図５は、本発明の一態様である第２の実施形態に係る電源装置の構成の一部を示す斜視図である。
【図６】図６は、図５の電極Ｅ１、端子Ｔ１、中継子Ｒ２１を抜き出した場合の斜視図である。
【図７】図７は、図５の電極Ｅ１、端子Ｔ１、中継子Ｒ２１を抜き出した場合の側面図である。
【図８】図８は、図６のＢ−Ｂ’断面図である。
【図９】図９は、本発明の一態様である第３の実施形態に係る電源装置の構成の一部を示す斜視図である。
【図１０】図１０は、図９の電極Ｅ１、端子Ｔ１、中継子Ｒ３１を抜き出した場合の斜視図である。
【図１１】図１１は、図９の電極Ｅ１、端子Ｔ１、中継子Ｒ３１を抜き出した場合の側面図である。
【図１２】図１２は、図９の電極Ｅ１、端子Ｔ１、中継子Ｒ３１を抜き出して上から見た場合の図である。
【図１３】図１３は、本発明の一態様である第４の実施形態に係る電源装置の構成の一部を示す斜視図である。
【図１４】図１４は、図１３の電極Ｅ４１、端子Ｔ４１、中継子Ｒ４１を抜き出した場合の斜視図である。
【図１５】図１５は、図１３の電極Ｅ４１、端子Ｔ４１、中継子Ｒ４１を抜き出した場合の側面図である。
【図１６】図１６は、図１３の電極Ｅ４１、端子Ｔ４１、中継子Ｒ４１を抜き出して上から見た場合の図である。
【図１７】図１７は、本発明の一態様である第５の実施形態に係る電源装置の構成の一部を示す斜視図である。
【図１８】図１８は、図１７の電極Ｅ５１、端子Ｔ５１、中継子Ｒ５１を抜き出した場合の斜視図である。
【図１９】図１９は、図１７の電極Ｅ５１、端子Ｔ５１、中継子Ｒ５１を抜き出した場合の側面図である。
【図２０】図２０は、図１７の電極Ｅ５１、端子Ｔ５１、中継子Ｒ５１を抜き出して上から見た場合の図である。
【発明を実施するための形態】
【００１７】
以下、本発明に係る各実施形態について図面に基づいて説明する。
【００１８】
＜第１の実施形態＞
まず図１〜図４を用いて本発明の一態様である第１の実施形態に係る電源装置について説明する。図１に示すように、本発明の一態様である第１の実施形態に係る電源装置１は、筐体２と、筐体２の上に設けられた被押圧部材３とを備える。ここで被押圧部材３は、基板３１と、基板３１の端部に連結されており且つ基板３１を封止する封止部材３２と、基板３１の上に設けられた導電層Ｃ１、Ｃ２、Ｃ３とを有する。ここで筐体２は例えばヒートシンクであり、導電層Ｃ１、Ｃ２、Ｃ３は導電性の層であり例えば銅箔である。
【００１９】
電源装置１は、弾性体Ｄ１、Ｄ２を備え、この弾性体Ｄ１、Ｄ２は、一端部が被押圧部材３の封止部材３２に連結しており且つ当該被押圧部材３から離れる方向に延在している。ここで本実施形態に係る弾性体Ｄ１、Ｄ２は例えば板ばねである。
更に電源装置１は、係止部材Ｓ１、Ｓ２を備え、この係止部材Ｓ１、Ｓ２は、被押圧部材３が設けられている位置とは異なる位置において弾性体Ｄ１、Ｄ２を筐体２に係止している。
【００２０】
ここで本実施形態に係る係止部材Ｓ１、Ｓ２は例えばねじであり、係止部材Ｓ１、Ｓ２は、ねじの締結力によって弾性体Ｄ１、Ｄ２を筐体２に押し付けることによって、被押圧部材３が筐体２に押し付けられた状態で固定される。これにより、基板３１が筐体２に固定される。
【００２１】
更に電源装置１は、基板３１の導電層Ｃ１に設けられた電極Ｅ１と、基板３１の導電層Ｃ２に設けられた電極Ｅ２と、基板３１の導電層Ｃ３に設けられた電極Ｅ３とを備える。ここで電極Ｅ１、Ｅ２、Ｅ３は導電性である。
更に電源装置１は、筐体２に固定された変圧器４と、変圧器４に接続された端子Ｔ１、Ｔ２とを備える。ここで変圧器４は電子部品の一種であり、交流電力の電圧を電磁誘導を利用して変換する電子部品であり、トランスともいう。また端子Ｔ１、Ｔ２は導電性である。
更に電源装置１は、他の電子部品または接地に接続されている端子Ｔ３を備える。ここで端子Ｔ３は導電性である。
【００２２】
更に電源装置１は、導電性の中継子Ｒ１、Ｒ２、Ｒ３を備える。この中継子Ｒ１は第１の領域の一例である一端部が電極Ｅ１に連結され且つ第２の領域の一例である他端部が端子Ｔ１に連結されている。同様に、中継子Ｒ２は第１の領域の一例である一端部が電極Ｅ２に連結され且つ第２の領域の一例である他端部が端子Ｔ１に連結されている。同様に、中継子Ｒ３は第１の領域の一例である一端部が電極Ｅ３に連結され且つ第２の領域の一例である他端部が端子Ｔ３に連結されている。
【００２３】
中継子Ｒ１、Ｒ２、Ｒ３は、弾性を有する。このように中継子Ｒ１、Ｒ２、Ｒ３が弾性を有することにより、中継子Ｒ１、Ｒ２、Ｒ３を電極Ｅ１、Ｅ２、Ｅ３及び端子Ｔ１、Ｔ２、Ｔ３に連結する前の製造工程において、端子Ｔ１、Ｔ２、Ｔ３と電極Ｅ１、Ｅ２、Ｅ３の位置が本来あるべき位置から基板３１に対して水平または垂直にずれたとしても、端子Ｔ１、Ｔ２、Ｔ３と電極Ｅ１、Ｅ２、Ｅ３に挟まった中継子が、弾性力によって戻る力で端子Ｔ１、Ｔ２、Ｔ３と電極Ｅ１、Ｅ２、Ｅ３の両方を押すので、中継子Ｒ１、Ｒ２、Ｒ３が端子Ｔ１、Ｔ２、Ｔ３と電極Ｅ１、Ｅ２、Ｅ３に連結することができる。
【００２４】
中継子Ｒ１、Ｒ２、Ｒ３同士、電極Ｅ１、Ｅ２、Ｅ３同士、端子Ｔ１、Ｔ２、Ｔ３同士は同様の構成を有するので、以下代表して中継子Ｒ１、電極Ｅ１、端子Ｔ１の構成について説明する。
【００２５】
図２に示すように、基板３１に設けられた電極Ｅ１は、端部の側方に設けられた肩部Ｅ１１、Ｅ１２と、端部の中央に設けられた中央部Ｅ１３と、を有する。
【００２６】
図３に示すように、中継子Ｒ１は、縦断面視において、電極Ｅ１と端子Ｔ１との間でＵ字状に湾曲している。ここでは一例として、中継子Ｒ１は、縦断面視において、基板３１に近づく方向に凸になるようにＵ字状に湾曲している。縦断面視とは、基板３１に対して垂直な面で断ち切った切り口である。
【００２７】
この構成により、中継子Ｒ１を電極Ｅ１及び端子Ｔ１に連結する前の製造工程において、電極Ｅ１または端子Ｔ１の位置が本来あるべき位置から基板３１に対して水平または垂直にずれたとしても、中継子Ｒ１がＵ字状に湾曲していることにより、弾性力によって中継子Ｒ１の一端部が電極Ｅ１に押し付けられ中継子Ｒ１の他端部が端子Ｔ１に押し付けられて中継子Ｒ１が電極Ｅ１及び端子Ｔ１の間に挟まった状態で固定される。このようにして、電極Ｅ１および端子Ｔ１の高さ方向のずれ及び水平方向のずれを吸収することができる。
【００２８】
更に図３に示すように、中継子Ｒ１は、縦断面視において、第１の領域である一端部が電極Ｅ１の端部を挟むようにＵ字状に湾曲し、且つ第２の領域である他端部が端子Ｔ１の端部を挟むようにＵ字状に湾曲している。ここでは一例として、中継子Ｒ１の一端部及び他端部は、基板３１から遠ざかる方向に凸になるようにＵ字状に湾曲している。
【００２９】
この構成により、中継子Ｒ１を電極Ｅ１及び端子Ｔ１に連結する前の製造工程において、電極Ｅ１または端子Ｔ１の位置が本来あるべき位置から基板３１に対して水平または垂直にずれたとしても、中継子Ｒ１の一端部が電極Ｅ１を挟むことにより電極Ｅ１に固定され、中継子Ｒ１の他端部が端子Ｔ１を挟むことにより端子Ｔ１に固定することができる。このようにして、電極Ｅ１および端子Ｔ１の高さ方向のずれ及び水平方向のずれを吸収することができる。
【００３０】
より詳細には、図２に示すように、基板３１に設けられた電極Ｅ１は、端部の側方に設けられた肩部Ｅ１１、Ｅ１２と、端部の中央に設けられた中央部Ｅ１３と、を有する。一方、中継子Ｒ１の第１の領域である一端部は、複数（ここでは一例として三つ）に分岐しており、当該複数（ここでは一例として三つ）の分岐のうち第１の分岐部Ｒ１１の外面が電極Ｅ１の端部の中央部Ｅ１３と溶接により固定されている。ここで第１の分岐部Ｒ１１は、一例として三つある分岐のうち中央に位置する分岐である。そして図２に示すように、複数（ここでは一例として三つ）の分岐のうち第２の分岐部Ｒ１２、Ｒ１３がそれぞれ対応する電極Ｅ１の肩部Ｅ１１、Ｅ１２を挟むようにＵ字状に湾曲している。
【００３１】
この構成により、中継子Ｒ１を電極Ｅ１及び端子Ｔ１に連結する前の製造工程において、電極Ｅ１または端子Ｔ１の位置が本来あるべき位置から基板３１に対して水平または垂直にずれたとしても、中継子Ｒ１の第２の分岐部Ｒ１２、Ｒ１３が電極Ｅ１の肩部Ｅ１１、Ｅ１２を挟むことにより中継子Ｒ１が電極Ｅ１に固定される。このようにして、電極Ｅ１の高さ方向及び水平方向のずれを吸収することができる。更に中継子Ｒ１の第２の分岐部Ｒ１２、Ｒ１３が電極Ｅ１の肩部Ｅ１１、Ｅ１２を挟んでいるので、中継子Ｒ１の電極Ｅ１への固定を強化することができる。
【００３２】
一方、図２及び図４に示すように、変圧器４に設けられた端子Ｔ１は、端部の側方に設けられた肩部Ｔ１１、Ｔ１２と、端部の中央に設けられた中央部Ｔ１３と、を有する。図２に示すように、中継子Ｒ１の第２の領域である他端部は、複数（ここでは一例として三つ）に分岐しており、当該複数（ここでは一例として三つ）の分岐のうち第１の分岐部Ｒ１４の外面が端子Ｔ１の端部の中央部Ｔ１３と溶接により固定されており、当該複数の分岐のうち第２の分岐部Ｒ１５、Ｒ１６がそれぞれ対応する端子Ｔ１の肩部Ｔ１１、Ｔ１２を挟むようにＵ字状に湾曲している。
【００３３】
この構成により、中継子Ｒ１を電極Ｅ１及び端子Ｔ１に連結する前の製造工程において、電極Ｅ１または端子Ｔ１の位置が本来あるべき位置から基板３１に対して水平または垂直にずれたとしても、中継子Ｒ１の第２の分岐部Ｒ１５、Ｒ１６が端子Ｔ１の肩部Ｔ１１、Ｔ１２を挟むことにより中継子Ｒ１が端子Ｔ１に固定される。このようにして、端子Ｔ１の高さ方向及び水平方向のずれを吸収することができる。更に中継子Ｒ１の第２の分岐部Ｒ１５、Ｒ１６が電極Ｅ１の肩部Ｔ１１、Ｔ１２を挟んでいるので、中継子Ｒ１の端子Ｔ１への固定を強化することができる。
【００３４】
中継子Ｒ１の剛性は例えば、電極Ｅ１の剛性より低い。この構成により、製造工程または製造後の振動等によって電極Ｅ１の基板３１に対して水平方向に位置がずれたとしても、中継子Ｒ１がたわむことにより、衝撃を吸収することができるので、電極Ｅ１が転倒するのを抑制することができる。なお、以下の各実施形態において、各中継子の剛性は一例として、当該中継子が連結される電極の剛性より低いものとして説明する。
【００３５】
以上、第１の実施形態に係る電源装置１は、筐体２と、筐体２に固定された基板３１と、基板３１に設けられた電極Ｅ１と、筐体２に固定された変圧器４と、変圧器４に接続された端子Ｔ１と、第１の領域が電極Ｅ１に連結され且つ第２の領域が端子Ｔ１に連結されている導電性の中継子Ｒ１と、を備え、この中継子Ｒ１は、弾性を有する。
【００３６】
この構成により、中継子Ｒ１が弾性を有することにより、中継子Ｒ１を電極Ｅ１及び端子Ｔ１に連結する前の製造工程において、端子Ｔ１と電極Ｅ１の位置が本来あるべき位置から基板３１に対して水平または垂直にずれたとしても、端子Ｔ１と電極Ｅ１に挟まった中継子Ｒ１が、弾性力によって戻る力で端子と電極の両方を押しつけることで、端子Ｔ１または電極Ｅ１の高さ方向及び水平方向のずれを吸収できるので、中継子が端子と電極に連結することができる。
【００３７】
＜第２の実施形態＞
続いて図５〜図８を用いて第２の実施形態に係る電源装置について説明する。第１の実施形態に係る電源装置における中継子Ｒ１は、縦断面視においてＵ字状に湾曲していた。それに対して、第２の実施形態に係る電源装置は、横断面視において、中継子がＵ字状に湾曲している点が異なっている。ここで横断面視とは、基板３１に対して水平な面で断ち切った切り口である。
【００３８】
第２の実施形態に係る電源装置には、図５に示すように、第１の実施形態に係る中継子Ｒ１、Ｒ２、Ｒ３の代わりに、中継子Ｒ２１、Ｒ２２、Ｒ２３が設けられている。その他の構成については同じであるので、その説明を省略する。
【００３９】
中継子Ｒ２１、Ｒ２２、Ｒ２３同士、電極Ｅ１、Ｅ２、Ｅ３同士、端子Ｔ１、Ｔ２、Ｔ３同士は同様の構成を有するので、以下代表して中継子Ｒ２１、電極Ｅ１、端子Ｔ１の構成について説明する。
【００４０】
図６〜図８に示すように、第２の実施形態に係る電源装置は、横断面視において、中継子Ｒ２１は、対応する電極Ｅ１と端子Ｔ１との間でＵ字状に湾曲している。
【００４１】
この構成により、中継子Ｒ２１、Ｒ２２、Ｒ２３を電極Ｅ１、Ｅ２、Ｅ３及び端子Ｔ１、Ｔ２、Ｔ３に連結する前の製造工程において、電極Ｅ１、Ｅ２、Ｅ３または端子Ｔ１、Ｔ２、Ｔ３の位置が本来あるべき位置から水平または垂直にずれたとしても、中継子Ｒ２１、Ｒ２２、Ｒ２３がＵ字状に湾曲していることにより、弾性力によって中継子Ｒ２１、Ｒ２２、Ｒ２３の一端部が電極Ｅ１、Ｅ２、Ｅ３に押し付けられ中継子Ｒ２１、Ｒ２２、Ｒ２３の他端部が端子Ｔ１、Ｔ２、Ｔ３に押し付けられて中継子Ｒ２１、Ｒ２２、Ｒ２３が電極Ｅ１、Ｅ２、Ｅ３及び端子Ｔ１、Ｔ２、Ｔ３の間に挟まった状態で固定される。このようにして、電極Ｅ１、Ｅ２、Ｅ３および端子Ｔ１、Ｔ２、Ｔ３の高さ方向のずれ及び水平方向のずれを吸収することができる。
【００４２】
また図６〜図８に示すように、中継子Ｒ２１は、第１の領域である一端部Ｒ２１１が電極Ｅ１を挟むようにＵ字状に湾曲し、且つ第２の領域である他端部Ｒ２１２が端子Ｔ１を挟むようにＵ字状に湾曲している。
【００４３】
この構成により、中継子Ｒ２１を電極Ｅ１及び端子Ｔ１に連結する前の製造工程において、電極Ｅ１または端子Ｔ１の位置が本来あるべき位置から水平または垂直にずれたとしても、中継子Ｒ１の一端部が電極Ｅ１を挟むことにより電極Ｅ１に固定され、中継子Ｒ１の他端部が端子Ｔ１を挟むことにより端子Ｔ１に固定することができる。このようにして、電極Ｅ１および端子Ｔ１の高さ方向のずれ及び水平方向のずれを吸収することができる。
【００４４】
＜第３の実施形態＞
続いて図９〜図１２を用いて第３の実施形態に係る電源装置について説明する。第１の実施形態及び第２の実施形態に係る電源装置における中継子Ｒ１、Ｒ２１は、電極Ｅ１と端子Ｔ１との間でＵ字状に湾曲していた。それに対して、第３の実施形態に係る電源装置は、図９に示すように、中継子Ｒ３１、Ｒ３２、Ｒ３３は平板であり、第１の貫通孔と、第２の貫通孔が形成されており、電極Ｅ１、Ｅ２、Ｅ３が第１の貫通孔に挿入された状態で固定され、端子Ｔ１、Ｔ２、Ｔ３が第２の貫通孔に挿入された状態で固定されている。
【００４５】
第３の実施形態に係る電源装置には、第１の実施形態に係る中継子Ｒ１、Ｒ２、Ｒ３の代わりに、中継子Ｒ４１、Ｒ４２、Ｒ４３が設けられている。その他の構成については同じであるので、その説明を省略する。
【００４６】
中継子Ｒ１、Ｒ２、Ｒ３同士、電極Ｅ１、Ｅ２、Ｅ３同士、端子Ｔ１、Ｔ２、Ｔ３同士は同様の構成を有するので、以下代表して中継子Ｒ１、電極Ｅ１、端子Ｔ１の構成について説明する。
【００４７】
図１０〜１２に示すように、中継子Ｒ３１は平板であり、第１の貫通孔Ｈ１と、第２の貫通孔Ｈ２が形成されている。中継子Ｒ３１の中央から第１の貫通孔Ｈ１の内部にかけて湾曲した複数の第１の鉤爪Ｋ１１〜Ｋ１４が互いに空間を設けて形成されている。また、中継子Ｒ３１の中央から第２の貫通孔Ｈ２の内部にかけて湾曲した複数の第２の鉤爪Ｋ２１〜Ｋ２４が互いに空間を設けて形成されている。
【００４８】
また、基板３１に設けられた電極Ｅ１が第１の貫通孔Ｈ１に挿入され且つ複数の第１の鉤爪Ｋ１１〜Ｋ１４の端部に接触した状態で溶接により固定されている。更に変圧器４に設けられた端子Ｔ１が第２の貫通孔Ｈ２に挿入され且つ複数の第２の鉤爪Ｋ２１〜Ｋ２４の端部に接触した状態で溶接により固定されている。ここで複数の第１の鉤爪Ｋ１１〜Ｋ１４の端部は、第１の領域に相当し、複数の第２の鉤爪Ｋ２１〜Ｋ２４の端部は、第２の領域に相当する。
【００４９】
この構成により、溶接する面積を減少させることができるので、より低いレーザ出力で溶接が可能となる。また、中継子Ｒ３１を電極Ｅ１及び端子Ｔ１に連結する前の製造工程において、電極Ｅ１または端子Ｔ１の位置が本来あるべき位置から基板３１に対して水平にずれたとしても、湾曲した複数の第１の鉤爪Ｋ１１〜Ｋ１４をたわまして電極Ｅ１の端部に押し付け、且つ湾曲した複数の第２の鉤爪Ｋ２１〜Ｋ２４をたわまして端子Ｔ１に押し付けることができる。このようにして、電極Ｅ１および端子Ｔ１の水平方向のずれを吸収することができる。
【００５０】
＜第４の実施形態＞
続いて図１３〜図１６を用いて第４の実施形態に係る電源装置について説明する。第３の実施形態に係る電源装置では、中継子Ｒ３１は平板であり、第１の貫通孔と、第２の貫通孔が形成されており、中継子Ｒ３１の中央から第１の貫通孔の内部にかけて湾曲した複数の第１の鉤爪が互いに空間を設けて形成されており、中継子Ｒ３１の中央から第２の貫通孔の内部にかけて湾曲した複数の第２の鉤爪が互いに空間を設けて形成されていた。
一方、第４の実施形態に係る電源装置は、中継子Ｒ３１は平板であり、第１の貫通孔と、第２の貫通孔が形成されているが、第１の鉤爪及び第２の鉤爪が設けられていない点で異なっている。
【００５１】
第４の実施形態に係る電源装置には、第１の実施形態に係る中継子Ｒ１、Ｒ２、Ｒ３の代わりに、中継子Ｒ４１、Ｒ４２、Ｒ４３が設けられている。また第４の実施形態に係る電源装置には、第１の実施形態に係る電極Ｅ１、Ｅ２、Ｅ３の代わりに、電極Ｅ４１、Ｅ４２、Ｅ４３が設けられている。更に第４の実施形態に係る電源装置には、第１の実施形態に係る端子Ｔ１、Ｔ２、Ｔ３の代わりに、端子Ｔ４１、Ｔ４２、Ｔ４３が設けられている。その他の構成については同じであるので、その説明を省略する。
【００５２】
中継子Ｒ４１、Ｒ４２、Ｒ４３同士、電極Ｅ４１、Ｅ４２、Ｅ４３同士、端子Ｔ４１、Ｔ４２、Ｔ４３同士は同様の構成を有するので、以下代表して中継子Ｒ４１、電極Ｅ４１、端子Ｔ４１の構成について説明する。
【００５３】
図１４〜図１６に示すように、基板３１に設けられた電極Ｅ４１は、変圧器４に設けられた端子Ｔ４１に向かって傾斜している。また変圧器４に設けられた端子Ｔ４１は、基板３１に設けられた電極Ｅ４１に向かって傾斜している。そして中継子Ｒ４１は平板であり、第１の貫通孔Ｈ４１と第２の貫通孔Ｈ４２が形成されており基板３１に設けられた電極Ｅ１が第１の貫通孔Ｈ４１に挿入されて当該第１の貫通孔Ｈ４１の外縁と接触した状態で固定されている。この固定は例えば溶接により行われる。更に変圧器４に設けられた端子Ｔ４１が第２の貫通孔Ｈ４２に挿入されて当該第２の貫通孔Ｈ４２の外縁と接触した状態で固定されている。この固定は例えば溶接により行われる。ここで第１の貫通孔Ｈ４１の外縁が第１の領域に相当し、第２の貫通孔Ｈ４２の外縁が第２の領域に相当する。
【００５４】
この構成によれば、中継子Ｒ４１を電極Ｅ４１及び端子Ｔ４１に連結する前の製造工程において、電極Ｅ４１または端子Ｔ４１の位置が本来あるべき位置から基板３１に対して垂直にずれたとしても、中継子Ｒ４１を電極Ｅ４１及び端子Ｔ４１の上から降ろしていくことにより、電極Ｅ４１が第１の貫通孔Ｈ４１に挿入されて当該第１の貫通孔Ｈ４１の外縁と接触した状態で、且つ端子Ｔ４１が第２の貫通孔Ｈ４２に挿入されて当該第２の貫通孔Ｈ４２の外縁と接触した状態にすることができる。この状態で溶接により固定することにより、中継子Ｒ４１を電極Ｅ４１及び端子Ｔ４１に固定することができる。
【００５５】
図１４に示すように、電極Ｅ４１は、中継子Ｒ４１と接触している箇所と基板３１との間において基板３１に途中で二股に分かれており、すなわち第１脚部Ｅ４１１と第２脚部Ｅ４１２の二つに分かれている。第１脚部Ｅ４１１は、端子Ｔ４１から離れる方向に延びて基板３１の導電層Ｃ１に固定されている。一方、第２脚部Ｅ４１２は、端子Ｔ４１の方に湾曲して基板３１の導電層Ｃ１に固定されている。
【００５６】
この構成により、製造工程または製造後の振動等によって、電極Ｅ４１に基板に垂直な方向の力がかかったとしても、第２脚部Ｅ４１２によって支持されていることにより、その力を受け流すことができるので、電極Ｅ４１が転倒することを抑制することができる。なお、第１〜第３の実施形態に係る電極も、上記のように二股に分かれていてもよい。
【００５７】
なお、第３及び第４の実施形態において、電極及び端子それぞれが挿入されている貫通孔がそれぞれ設けられているとして説明したが、これに限ったものではなく、電極もしくは端子が挿入されている貫通孔が一つだけ設けられていてもよく、少なくとも一つ貫通孔が設けられていればよい。
【００５８】
＜第５の実施形態＞
続いて図１７〜図２０を用いて第５の実施形態に係る電源装置について説明する。第４の実施形態に係る電源装置では、中継子Ｒ４１は平板であり、第１の貫通孔Ｈ４１と、第２の貫通孔Ｈ４２が形成されており、電極Ｅ４１が第１の貫通孔Ｈ４１に挿入された状態で中継子Ｒ４１に固定され、端子Ｔ４１が第２の貫通孔Ｈ４２に挿入された状態で中継子Ｒ４１に固定されていた。
【００５９】
一方、第５の実施形態に係る電源装置は、電極には第１の溝が設けられており、端子には、第２の溝が設けられており、中継子には第１の突起と第２の突起とが設けられており、第１の突起が第１の溝に挿入された状態で固定され、第２の突起が第２の溝に挿入された状態で固定されている。
【００６０】
第５の実施形態に係る電源装置には、第１の実施形態に係る中継子Ｒ１、Ｒ２、Ｒ３の代わりに、中継子Ｒ５１、Ｒ５２、Ｒ５３が設けられている。また第５の実施形態に係る電源装置には、第１の実施形態に係る電極Ｅ１、Ｅ２、Ｅ３の代わりに、電極Ｅ５１、Ｅ５２、Ｅ５３が設けられている。更に第５の実施形態に係る電源装置には、第１の実施形態に係る端子Ｔ１、Ｔ２、Ｔ３の代わりに、端子Ｔ５１、Ｔ５２、Ｔ５３が設けられている。その他の構成については同じであるので、その説明を省略する。
【００６１】
中継子Ｒ５１、Ｒ５２、Ｒ５３同士、電極Ｅ５１、Ｅ５２、Ｅ５３同士、端子Ｔ５１、Ｔ５２、Ｔ５３同士は同様の構成を有するので、以下代表して中継子Ｒ５１、電極Ｅ５１、端子Ｔ５１の構成について説明する。
【００６２】
図１９に示すように、基板３１に設けられた電極Ｅ５１の端部Ｅ５１３は基板３１に対して略水平であり、当該端部Ｅ５１３には中継子Ｒ５１と対向する面に第１の溝Ｇ１が設けられている。
また変圧器４に設けられた端子Ｔ５１の端部は基板３１に対して略水平であり、当該端部には中継子Ｒ５１と対向する面に第２の溝Ｇ２が設けられている。
中継子Ｒ５１は平板であり、第１の突起Ｐ１と第２の突起Ｐ２とが設けられている。こでは一例として、第１の突起Ｐ１及び第２の突起Ｐ２は、これらの突起が形成されている面（以下、第１の面という）とは反対の面から力を加えて凹みを作ることによって、第１の面に飛び出した出っ張りの部分である。
第１の突起Ｐ１が第１の溝Ｇ１に挿入された状態で固定されている。ここでこの固定は例えば溶接である。また第２の突起Ｐ２が第２の溝Ｇ２に挿入された状態で固定されている。この固定は例えば溶接である。ここで第１の突起Ｐ１の第１の溝Ｇ１に接する領域が第１の領域に相当し、第２の突起Ｐ２の第２の溝Ｇ２に接する領域が第２の領域に相当する。
【００６３】
この構成により、中継子Ｒ５１を電極Ｅ５１及び端子Ｔ５１に連結する前の製造工程において、電極Ｅ５１または端子Ｔ５１の位置が本来あるべき位置から基板３１に対して水平または垂直にずれたとしても、中継子Ｒ５１を電極Ｅ５１及び端子Ｔ５１の上から降ろしていくことにより、第１の突起Ｐ１が第１の溝Ｇ１内のどこかに接して止まり、且つ第２の突起Ｐ２が第２の溝Ｇ２内のどこかに接して止まった状態にすることができる。この状態で溶接により固定することにより、中継子Ｒ５１を電極Ｅ５１及び端子Ｔ５１に固定することができる。
【００６４】
また図１８〜図２０に示すように、電極Ｅ５１は、第１脚部Ｅ５１１と第２脚部Ｅ５１２の二つに分かれている。第１脚部Ｅ５１１は、端子Ｔ５１から離れる方向に延びて基板３１の導電層Ｃ１に固定されており、第２脚部Ｅ５１２は、端子Ｔ５１の方に湾曲して基板３１の導電層Ｃ１に固定されている。
【００６５】
この構成により、製造工程または製造後の振動等によって、電極Ｅ５１に基板に垂直な方向の力がかかったとしても、第２脚部Ｅ５１２によって支持されていることにより、その力を受け流すことができるので、電極Ｅ５１が転倒することを抑制することができる。
【００６６】
なお、第５の実施形態において、中継子は、電極及び端子それぞれに挿入されている突起がそれぞれ設けられているとして説明したが、これに限ったものではなく、電極もしくは端子内に挿入されている突起が一つだけ設けられていてもよく、少なくとも一つの突起が設けられていればよい。
【００６７】
なお、上述した各実施形態の記載及び図面の開示は、請求の範囲に記載された発明を説明するための一例に過ぎず、上述した各実施の形態の記載又は図面の開示によって請求の範囲に記載された発明が限定されることはない。また、出願当初の請求項の記載はあくまでも一例であり、明細書、図面等の記載に基づき、請求項の記載を適宜変更することもできる。
【符号の説明】
【００６８】
１  電源装置
２  筐体
３  被押圧部材
３１  基板
３２  封止部材
４  変圧器
Ｃ１、Ｃ２、Ｃ３  導電層
Ｄ１  弾性体
Ｅ１、Ｅ２、Ｅ３、Ｅ４１、Ｅ５１  電極
Ｅ１１、Ｅ１２  肩部
Ｅ１３  中央部
Ｅ４１１、Ｅ５１１  第１脚部
Ｅ４１２、Ｅ５１２  第２脚部
Ｅ５１３  端部
Ｔ４１、Ｔ５１  端子
Ｈ４１  第１の貫通孔
Ｈ４２  第２の貫通孔
Ｋ１１、Ｋ１２、Ｋ１３、Ｋ１４  第１の鉤爪
Ｋ２１、Ｋ２２、Ｋ２３、Ｋ２４  第２の鉤爪
Ｐ１  第１の突起
Ｐ２  第２の突起
Ｒ１、Ｒ２、Ｒ３、Ｒ２１、Ｒ２２、Ｒ２３、Ｒ３１、Ｒ３２、Ｒ３３、Ｒ４１、Ｒ４２、Ｒ４３、Ｒ５１、Ｒ５２、Ｒ５３  中継子
Ｒ１４  第１の分岐部
Ｒ１５、Ｒ１６  第２の分岐部
Ｒ２１１  一端部
Ｒ２１２  他端部
Ｓ１、Ｓ２  係止部材
Ｔ１、Ｔ２、Ｔ３、Ｔ４１、Ｔ５１  端子
Ｔ１１、Ｔ１２  肩部
Ｔ１３  中央部
【図１】
2019175948.tif 000003
【図２】
2019175948.tif 000004
【図３】
2019175948.tif 000005
【図４】
2019175948.tif 000006
【図５】
2019175948.tif 000007
【図６】
2019175948.tif 000008
【図７】
2019175948.tif 000009
【図８】
2019175948.tif 000010
【図９】
2019175948.tif 000011
【図１０】
2019175948.tif 000012
【図１１】
2019175948.tif 000013
【図１２】
2019175948.tif 000014
【図１３】
2019175948.tif 000015
【図１４】
2019175948.tif 000016
【図１５】
2019175948.tif 000017
【図１６】
2019175948.tif 000018
【図１７】
2019175948.tif 000019
【図１８】
2019175948.tif 000020
【図１９】
2019175948.tif 000021
【図２０】
2019175948.tif 000022
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
筐体と、
前記筐体に固定された基板と、
前記基板に設けられた電極と、
前記筐体に固定された電子部品と、
前記電子部品に接続された端子と、
第１の領域が前記電極に連結され且つ第２の領域が前記端子に連結されている導電性の中継子と、
を備え、
前記中継子は、弾性を有するか、前記電極もしくは前記端子が挿入されている貫通孔が設けられているか、または前記電極もしくは前記端子内に挿入されている突起が設けられており、
前記基板に設けられた前記電極は、端部の側方に設けられた肩部と、前記端部の中央に設けられた中央部と、を有し、
前記中継子の前記第１の領域である一端部は、複数に分岐しており、当該複数の分岐のうち第１の分岐部の外面が前記電極の端部の前記中央部と溶接により固定されており、当該複数の分岐のうち第２の分岐部がそれぞれ対応する前記電極の肩部を挟むようにＵ字状に湾曲している電源装置。
【請求項２】
筐体と、
前記筐体に固定された基板と、
前記基板に設けられた電極と、
前記筐体に固定された電子部品と、
前記電子部品に接続された端子と、
第１の領域が前記電極に連結され且つ第２の領域が前記端子に連結されている導電性の中継子と、
を備え、
前記中継子は、弾性を有するか、前記電極もしくは前記端子が挿入されている貫通孔が設けられているか、または前記電極もしくは前記端子内に挿入されている突起が設けられており、
前記電子部品に設けられた前記端子は、端部の側方に設けられた肩部と、前記端部の中央に設けられた中央部と、を有し、前記中継子の前記第２の領域である他端部は、複数に分岐しており、当該複数の分岐のうち第１の分岐部の外面が前記端子の端部の前記中央部と溶接により固定されており、当該複数の分岐のうち第２の分岐部がそれぞれ対応する前記端子の肩部を挟むようにＵ字状に湾曲している
電源装置。
【請求項３】
前記中継子は、縦断面視において、前記電極と前記端子との間でＵ字状に湾曲し、且つ前記第１の領域である一端部が前記電極の端部を挟むようにＵ字状に湾曲し、且つ前記第２の領域である他端部が前記端子の端部を挟むようにＵ字状に湾曲している
請求項１または２に記載の電源装置。
【請求項４】
筐体と、
前記筐体に固定された基板と、
前記基板に設けられた電極と、
前記筐体に固定された電子部品と、
前記電子部品に接続された端子と、
第１の領域が前記電極に連結され且つ第２の領域が前記端子に連結されている導電性の中継子と、
を備え、
前記中継子は、弾性を有するか、前記電極もしくは前記端子が挿入されている貫通孔が設けられているか、または前記電極もしくは前記端子内に挿入されている突起が設けられており、
前記中継子は平板であり、第１の貫通孔と、第２の貫通孔が形成されており、
前記中継子の中央から前記第１の貫通孔の内部にかけて湾曲した複数の第１の鉤爪が互いに空間を設けて形成されており、
前記中継子の中央から前記第２の貫通孔の内部にかけて湾曲した複数の第２の鉤爪が互いに空間を設けて形成されており、
前記基板に設けられた電極が前記第１の貫通孔に挿入され且つ前記複数の第１の鉤爪の端部に接触した状態で固定されており、
前記電子部品に設けられた端子が前記第２の貫通孔に挿入され且つ前記複数の第２の鉤爪の端部に接触した状態で固定されている
電源装置。
【請求項５】
前記電極は、第１脚部と第２脚部の二つに分かれており、
前記第１脚部は、前記端子から離れる方向に延びて基板に固定されており、
前記第２脚部は、前記端子の方に湾曲して前記基板に固定されている
請求項１から４のいずれか一項に記載の電源装置。
【請求項６】
前記中継子の剛性は、前記電極の剛性より低い
請求項１から５のいずれか一項に記載の電源装置。
【国際調査報告】
2019175948.tif 000023
2019175948.tif 000024
2019175948.tif 000025
2019175948.tif 000026